(57)【要約】【課題】  噴射された被膜形成物が付着面から剥がれ易く、付着面に汚れが残らない虫類捕獲用エアゾール剤を提供する。【解決手段】  エアゾール容器から噴射された被膜形成物により虫類を包囲して捕獲する虫類捕獲用エアゾール剤であって、前記被覆形成物が剥離性を備えることを特徴とする虫類捕獲用エアゾール剤。【選択図】  なし【特許請求の範囲】
【請求項１】
エアゾール容器から噴射された被膜形成物により虫類を包囲して捕獲する虫類捕獲用エアゾール剤であって、前記被覆形成物が剥離性を備えることを特徴とする虫類捕獲用エアゾール剤。
【請求項２】
粉体、またはブタンとプロパンとの混合物を含有することを特徴とする請求項１記載の虫類捕獲用エアゾール剤。
【請求項３】
エステル型非イオン界面活性剤を配合したことを特徴とする請求項１または２記載の虫類捕獲用エアゾール剤。
【請求項４】
冷却剤及び殺虫剤からなる群から選ばれた１種又は２種以上を配合したことを特徴とする請求項１〜３の何れか１項に記載の虫類捕獲用エアゾール剤。
【発明の詳細な説明】
【技術分野】
【０００１】
本発明は、エアゾール容器から噴射された被膜形成物で虫類を包囲して捕獲する虫類捕獲用エアゾール剤に関し、詳しくは、噴射された被膜形成物が付着面から剥がれ易く、付着面に汚れが残らない虫類捕獲用エアゾール剤に関するものである。
【背景技術】
【０００２】
従来から虫類を防除するための手段の一つとして、虫類に対して樹脂の発泡物（被膜形成物）を噴射し、発泡物で虫類を包囲して捕獲する方法が知られている。この方法では、発泡物で虫類の動きを封じて窒息死させ、発泡物が硬化した後に発泡物ごと捨てることができるので死骸を見ないですむという利点がある（例えば、特許文献１参照）。
【０００３】
ところが、捨てる際に、発泡物が床等の付着面からきれいに剥がれずに発泡物の一部が残り、付着面が汚れるという問題があった。
【０００４】
【特許文献１】特公昭６３−３８２１号公報（第１−５頁）
【発明の開示】
【発明が解決しようとする課題】
【０００５】
そこで本発明は、噴射された被膜形成物が付着面から剥がれ易く、付着面に汚れが残らない虫類捕獲用エアゾール剤を提供することを目的とするものである。
【課題を解決するための手段】
【０００６】
本発明者らは上記目的を達成するために鋭意検討した結果、虫類捕獲用エアゾール剤を以下の構成とすることにより上記目的を達成できることを見出した。即ち、本発明は以下の虫類捕獲用エアゾール剤を提供する。
（１）エアゾール容器から噴射された被膜形成物により虫類を包囲して捕獲する虫類捕獲用エアゾール剤であって、前記被覆形成物が剥離性を備えることを特徴とする虫類捕獲用エアゾール剤。
（２）粉体、またはブタンとプロパンとの混合物を含有することを特徴とする請求項１記載の虫類捕獲用エアゾール剤。
（３）エステル型非イオン界面活性剤を配合したことを特徴とする請求項１または２記載の虫類捕獲用エアゾール剤。
（４）冷却剤及び殺虫剤からなる群から選ばれた１種又は２種以上を配合したことを特徴とする請求項１〜３の何れか１項に記載の虫類捕獲用エアゾール剤。
【０００７】
本発明の虫類捕獲用エアゾール剤は、粉体、またはブタンとプロパンとの混合物が剥離剤として作用し、噴射された被膜形成物が付着面から容易に剥離する。また、エステル型非イオン界面活性剤を併用することにより、被膜形成物の付着面からの剥離性と虫類への付着性とを同時に向上させることができる。さらにまた、冷却剤及び／又は殺虫剤を配合すれば、より効果的に捕獲、駆除することができる。
【発明の効果】
【０００８】
本発明によれば、エアゾール容器から噴射された被膜形成物により虫類を包囲して捕獲する虫類捕獲用エアゾール剤において、噴射された被膜形成物が付着面からきれいに取れずに汚れが残るという問題を解決することができる。よって、本発明の虫類捕獲用エアゾール剤は、敷物、畳、フローリング等のある室内において使用するのに適している。また、エステル型非イオン界面活性剤を併用することにより、被膜形成物の虫類への付着性が高まり、冷却剤や殺虫剤を併用することにより、より効果的に捕獲、駆除することが期待できる。さらに、臭いを出す虫類に対しては、不快な臭いを遮断して捕獲、駆除することも可能となる。
【発明を実施するための最良の形態】
【０００９】
本発明の虫類捕獲用エアゾール剤について一つの具体例を挙げて説明すると、被膜形成物であるアクリル樹脂、剥離剤として作用する粉体、またはブタンとプロパンとの混合物、溶剤、発泡剤からなる原液と、噴射剤とを、エアゾール容器に加圧充填したものであって、虫類に向かって内容物を噴射することができるものである。そして、アクリル樹脂がエタノールの揮発にともなって硬化することで虫類を包囲して捕獲するものである。そして、被膜形成物で捕獲された虫類はそのまま捨てればよい。ここで、虫類を包囲することとは、被膜形成物が虫類の一部または全部に付着して、あるいは該被膜成形物が虫類を繭状に包み込んで捕獲するものである。
【００１０】
本発明では、被膜形成物としては、エアゾール剤から噴射させることで発泡体となる樹脂を用いるのが使い勝手がよく、また捕獲された虫類を隠蔽できることから、捨てる際に虫類を見ることがないので適している。
【００１１】
本発明は、前記の具体例に限られるものではなく、本発明の所期の効果を奏する限りにおいて以下に説明するような各種の成分及び配合量などによる種々の実施態様で実施することができるものである。以下、順次説明する。
【００１２】
本発明の虫類捕獲用エアゾール剤に配合する被膜形成物としては、アクリル樹脂、アルキッド樹脂、フタル酸樹脂、ウレタン樹脂、アミノ樹脂、エポキシエステル樹脂、ポリメタクリレート、ポリスチレン等の１種又は２種以上を組み合わせて用いることができる。これらは虫類捕獲用エアゾール剤に１０〜４０重量％配合すればよい。
【００１３】
本発明の虫類捕獲用エアゾール剤に配合する粉体は、被膜形成物を付着面から剥がし易くする剥離剤として作用するものであって、虫類捕獲用エアゾール剤に０．５〜５重量％、好ましくは１〜２重量％配合すればよい。これよりも少ないと剥離が十分によいものとはならず、また多すぎると噴射させる際にエアゾール容器の噴射口に目詰まりを生じたり、被膜形成物の虫類への付着力が弱くなることがあるので好ましくない。
【００１４】
この剥離剤として用いる粉体としては、チタン、ケイ酸、無水ケイ酸、タルク、アルミ塩、酸化亜鉛、酸化鉄、二硫化モリブデン、窒化珪素、樹脂等からなる粉末を挙げることができ、それぞれ単独で、あるいは２種以上を組み合わせて用いることができる。これらの粉体の性状としては、平均粒子径が１〜３０μｍのものは剥離性がよく、また噴射させる際にエアゾール容器の噴射口に目詰まりを生じないことから好ましい。粉体の中でも無水ケイ酸粉末が特に好ましく、平均粒子径が１〜３０μｍ、吸油量が３０〜４００ｍｌ／１００ｇ、比表面積が４０〜８００ｍ2／ｇの条件を満足するものがよい。このような無水ケイ酸粉末として、例えば、サンスフェアＨ−３１（旭硝子社製）が挙げられる。
【００１５】
また、剥離剤として、ブタンとプロパンとの混合物を用いることもできる。このブタンとプロパンとの混合物は被膜形成物から速やかに揮散し、その結果、被膜形成物の表面が早く硬化して虫類が逃げ難くなるとともに、該被膜形成物の剥離性が向上して付着面からきれいに取り除くことができるという効果が得られる。ブタンはノルマルブタン及びイソブタンの何れも使用できる。ブタンとプロパンとの混合物は、２５℃における圧力が０．３〜０．５ＭＰａのものが好ましく、さらにはブタンの混合比が高いものが好ましく、具体的にはブタン：プロパン（重量比）＝４５：５５〜１５：８５のものが好ましい。
【００１６】
ブタンとプロパンとの混合物は、虫類捕獲用エアゾール剤に２０〜４５重量％、好ましくは２０〜３５重量％配合すればよい。これよりも少ないと剥離が十分によいものとはならず、また多すぎると被膜形成物の虫類への付着力が弱くなるため好ましくない。
【００１７】
本発明の虫類捕獲用エアゾール剤には、前記被膜形成物の溶剤や前記被膜形成物を発泡させるための発泡剤として、水、エタノール、イソプロパノール等のアルコール類、ヘキサン、ヘプタン、ケロシン等の炭化水素類、ミリスチン酸イソプロピル等の脂肪族エステルの１種又は２種以上を組み合わせて用いることができる。これら発泡剤は、虫類捕獲用エアゾール剤に２０重量％以下、好ましくは５〜１５重量％配合すればよい。
【００１８】
本発明の虫類捕獲用エアゾール剤には、噴射剤として、窒素ガス、圧縮空気、炭酸ガス等の圧縮ガス、ＨＦＣ−１５２ａ、ＨＦＣ−１３４ａ等のハイドロフルオロカーボン、ジメチルエーテル等の液化ガス、液化石油ガス、ノルマルペンタン、イソペンタン、シクロペンタン等のペンタン等の１種又は２種以上を組み合わせて用いることができる。これら噴射剤は虫類捕獲用エアゾール剤に３０〜８０重量％、好ましくは５０〜７０重量％配合すればよい。
【００１９】
剥離剤としてブタンとプロパンとの混合物を用いる場合には、噴射剤としてジメチルエーテルを用いることがよく、重量比で前記混合物：ジメチルエーテルを１〜２．５：１とすることにより、剥離性と付着性とがバランス良く発現する。
【００２０】
前記噴射剤の中でもハイドロフルオロカーボン等の不燃性ガスを用いると、被膜形成物によって形成された被膜及びその中が不燃性となり、火気に対する安全性を向上することができる。また、常温で液体の噴射剤は、虫類に対して冷却作用を奏することから、被膜形成物が虫類を包囲した際に虫類をノックダウンさせたり、致死させたりするのに都合がよい。さらに、前記噴射剤を虫類に対して液滴で付着させたり、ゲル化剤を併用することは冷却作用を高める上ではよい。
【００２１】
本発明の虫類捕獲用エアゾール剤には、エステル型非イオン界面活性剤を配合することが好ましい。これにより被膜形成物の虫類への付着力が高まり、粉体を用いた場合には、粉体の分散性も高まる。エステル型非イオン界面活性剤は、虫類捕獲用エアゾール剤に１０重量％以下、好ましくは２〜５重量％配合する。エステル型非イオン界面活性剤としてグリセリン脂肪酸エステルが好適であり、その例としてデカグリン５−ＯＶ（日光ケミカルズ社製）が挙げられる。また、ソルビタン脂肪族エステルも好ましく、その例としてＳＯ−３０（日光ケミカルズ製；トリオレイン酸ソルビタン）が挙げられる。
【００２２】
本発明の虫類捕獲用エアゾール剤では、重量比で粉体１に対してエステル型非イオン界面活性剤０．５〜４の比率で配合すると、被膜形成物の付着面からの剥離性が十分によく維持されると共に、被膜形成物の虫類への付着力が高まる。同様の理由から、ブタンとプロパンとの混合物１に対して、エステル型非イオン界面活性剤を０．５〜１５の比率とすることがよい。
【００２３】
本発明の虫類捕獲用エアゾール剤には、虫類に対するノックダウンや殺虫効果を付与して捕獲、駆除効率を高めるために、冷却剤や殺虫剤の１種又は２種以上を配合することができる。冷却剤として、例えば、メタノール、エタノール、イソプロパノール等の低級アルコール、プロパン、ブタン、ペンタン、イソペンタン、シクロペンタン等の飽和炭化水素、２，３−ジハイドロデカフロロペンタン等が挙げられる。殺虫剤として、例えば、天然ピレトリン、プラレトリン、イミプロトリン、フタルスリン、アレスリン、トランスフルトリン、レスメトリン、フェノトリン、シフェノトリン、ｄ，ｄ−Ｔ９９−シフェノトリン、ペルメトリン、サイパーメスリン、エトフェンプロックス、シフルスリン、デルタメスリン、ビフェントリン、フェンバレレート、フェンプロパスリン、シラフルオフェン、（Ｓ）−２−メチル−４−オキソ−３−（２−プロピニル）−シクロペント−２−エニル （１Ｒ）−トランス−３−（２、２−ジクロロビニル）−２、２−ジメチルシクロプロパンカルボキシレート、メトフルスリン、プロフルスリン(profluthrin)、Ｓ−１８６４（住友化学工業社製）等のピレスロイド系化合物、ジクロルボス等の有機リン系化合物、プロポクスル等のカーバメート系化合物、メトキサジアゾン等のオキサジアゾール系化合物、アミドフルメット等のスルホンアミド系化合物、ジノテフラン等のニコチノイド系化合物、クロルフェナピル、フィプロニル等のピラゾール系化合物、ベンジルアルコール等の殺虫性精油、イソプロピルメチルフェノール等が挙げられる。これらは虫類捕獲用エアゾール剤に２重量％以下、好ましくは０．５〜１重量％配合すればよい。
【００２４】
冷却剤や殺虫剤を配合することで、噴射された被膜形成物による被膜内を瞬時に冷温状態としたり、殺虫剤との強制接触によって効果的に虫類を捕獲、駆除することができる。尚、殺虫剤は、マイクロカプセルやサイクロデキストリンの包接物として配合してもよい。
【００２５】
本発明の虫類捕獲用エアゾール剤には前記の他に、他の界面活性剤、香料、色素、固体及び液体担体等を必要に応じて配合してもよい。色素を配合することにより、噴射された被膜形成物の付着面での状態や剥離の状態が容易に把握できるのでよい。
【００２６】
また、エアゾール容器に制限はないが、噴口が１つのものの他に、噴口が複数のものも使用できる。
【００２７】
本発明の虫類捕獲用エアゾール剤は、ゴキブリ、カメムシ、サシガメ、ゴミムシ、アリ、シロアリ、ハエ、ハチ、ワラジムシ、ムカデ、ゲジゲジ、クモ、ヤスデ、カマドウマ、ケムシ等の虫類を捕獲、駆除するのに適したものである。特にカメムシ、サシガメ、ゴミムシ等の臭いを出す虫類に適用すれば、不快な臭いを遮断して捕獲、駆除することも可能となる。
【００２８】
以下に、本発明の虫類捕獲用エアゾール剤の好ましい製剤例を示すが、これに限定されることはない。
【００２９】
（製剤例１）
アクリル樹脂                          １５．０重量％
無水ケイ酸粉末                          ３．０重量％
エタノール                              ２．０重量％
脱イオン水                              ９．０重量％
液化石油ガス                          ５６．８重量％
ジメチルエーテル                      １４．２重量％
からなる内容物をエアゾール容器に加圧充填したもの
【００３０】
（製剤例２）
アクリル樹脂                          １５．０重量％
無水ケイ酸粉末                          １．５重量％
グリセリン脂肪酸エステル                ３．０重量％
エタノール                            １０．５重量％
液化石油ガス                          ５６．０重量％
ジメチルエーテル                      １４．０重量％
からなる内容物をエアゾール容器に加圧充填したもの
【００３１】
（製剤例３）
アクリル樹脂                          １５．０重量％
無水ケイ酸粉末                          １．５重量％
グリセリン脂肪酸エステル                ３．０重量％
エタノール                              ５．０重量％
脱イオン水                              ５．５重量％
液化石油ガス                          １４．０重量％
ジメチルエーテル                      ５６．０重量％
からなる内容物をエアゾール容器に加圧充填したもの
【００３２】
（製剤例４）
アクリル樹脂                          １５．０重量％
無水ケイ酸粉末                          １．５重量％
２，３−ジハイドロデカフロロペンタン  １３．５重量％
液化石油ガス                          １４．０重量％
ジメチルエーテル                      ５６．０重量％
からなる内容物をエアゾール容器に加圧充填したもの
【００３３】
（製剤例５）
アクリル樹脂                          １５．０重量％
無水ケイ酸粉末                          １．５重量％
グリセリン脂肪酸エステル                ３．０重量％
脱イオン水                            １０．５重量％
液化石油ガス                          ５６．０重量％
ジメチルエーテル                      １４．０重量％
からなる内容物をエアゾール容器に加圧充填したもの
【００３４】
（製剤例６）
アクリル樹脂                          １５．０重量％
無水ケイ酸粉末                          １．５重量％
グリセリン脂肪酸エステル                ３．０重量％
エタノール                              ５．０重量％
脱イオン水                              ５．０重量％
フェノトリン又はシフェノトリン          ０．５重量％
液化石油ガス                          ５６．０重量％
ジメチルエーテル                      １４．０重量％
からなる内容物をエアゾール容器に加圧充填したもの
【００３５】
（製剤例７）
アクリル樹脂                          ２８．６重量％
ミリスチン酸イソプロピル                ８．５重量％
ケロシン                                ５．９重量％
イソプロピルアルコール                  ０．８重量％
トリオレイン酸ソルビタン                ２．９重量％
ブタンとプロパンとの混合物            ３２．０重量％
（０．４９ＭＰａ（２５℃）、ブタン：プロパン＝５８：４２）
ジメチルエーテル                      ２１．３重量％
からなる内容物をエアゾール容器に加圧充填したもの
【００３６】
（製剤例８）
アクリル樹脂                          ２７．１重量％
ミリスチン酸イソプロピル                ８．１重量％
ケロシン                                ５．６重量％
イソプロピルアルコール                  ０．８重量％
トリオレイン酸ソルビタン                ２．７重量％
ブタンとプロパンとの混合物            ３０．４重量％
（０．３９ＭＰａ（２５℃）、ブタン：プロパン＝７２：２８）
ジメチルエーテル                      ２５．３重量％
からなる内容物をエアゾール容器に加圧充填したもの
【実施例】
【００３７】
以下に実施例によって本発明をさらに詳しく説明するが、本発明はこれらに限定されるものではない。
【００３８】
（実施例１〜３、比較例１）
表１記載の組成からなる試験液を調製し、その５０ｇを１００ｍｌガラス試験瓶に充填した。尚、無水ケイ酸粉末としてサンスフェアＨ−３１（旭硝子社製）、グリセリン脂肪酸エステルとしてデカグリン５−ＯＶ（日光ケミカルズ社製）を用いた。次いで、前記ガラス試験瓶にエアゾールバルブ（７７６９  Ｓｔ１．２×３；丸一社製）を取り付け、前記試験液をキムタオル（クレシア社製）に噴射した。この噴射により、発泡物が形成された。そして、発泡物を放置して硬化させた後、手で硬化した発泡物をキムタオルから引き剥がし、硬化した発泡物の残存状態を観察した。結果を表１に示す。
【００３９】
さらに同様にして、前記試験液を供試虫（クロゴキブリ成虫）１匹に噴射し、付着性と致死効果を評価した。付着性は、ワックスをかけた床面に放たれた供試虫に前記試験液を噴射し、発泡物で覆った時に、供試虫が発泡物をすり抜けて逃避したか否かで判断し、供試虫が発泡物から逃避しない場合を付着性ありと判定した。また、致死効果は、供試虫を発泡物で包囲したまま２５℃で２４時間放置し、その後発泡物を崩して供試虫を取り出し、生死を確認した。結果を表１に示す。
【００４０】
【表１】
2004248670.tif 000002
【００４１】
表１に示したとおり、本発明に従う実施例１〜３は、いずれも剥離性が良好で汚れが無く、また殺虫効果があることが確認された。無水ケイ酸粉末を配合した実施例１では虫類に対する付着性が弱まったが、グリセリン脂肪酸エステルを併用することにより、実施例２〜３のとおり虫類に対する付着性が良いものとなった。試験は２回行い、結果は再現性のあるものであった。
【００４２】
（実施例４）
製剤例７の組成からなる試験エアゾール剤を調製し、５０ｃｍ離れた位置から線状に噴射して発泡物を得た。そして、発泡物の一部をピンセットで押え付けたゴキブリの羽の後端に付着した後、ピンセットを放したときにゴキブリが発泡物から逃れることはなく、付着性がよいものであった。
【００４３】
また、試験エアゾール剤を５０ｃｍ離れた位置からフローリング、畳、カーペットに３秒間ずつ噴射して玉状の発泡物を得た。そして、１分後に発泡物を剥がしたところ、何れも簡単に発泡物が残ることなく剥がせた。
【００４４】
以上のとおり、ブタンとプロパンとの混合物を２０〜４５重量％の範囲で含むことにより、付着性と剥離性とがバランスよく発現する。試験は２回行い、結果は再現性のあるものであった。